【手続補正書】
【提出日】平成19年8月23日(2007.8.23)
【手続補正１】
【補正対象書類名】特許請求の範囲
【補正対象項目名】全文
【補正方法】変更
【補正の内容】
【特許請求の範囲】
【請求項１】
第１の画像と第２の画像を少なくとも有する入力画像データを符号化する符号化装置において、
前記第１の画像を符号化する第１の符号化手段と、
前記第２の画像を符号化する第２の符号化手段と
を備え、
前記第１の符号化手段において符号化された前記第１の画像を復号した第３の画像の画質は、前記第１の画像の画質より劣化し、
前記第２の符号化手段において符号化された前記第２の画像を復号した第４の画像の画質は、前記第２の画像の画質と同程度に維持される
ことを特徴とする符号化装置。
【請求項２】
前記入力画像データにノイズを付加するノイズ付加手段をさらに備える
ことを特徴とする請求項１に記載の符号化装置。
【請求項３】
前記第１の符号化手段は、
前記第１の画像を複数のブロックに分割するブロック分割手段と、
前記ブロックを構成する画素の画素値の最大値および最小値を検出する検出手段と、
前記最大値および最小値に基づいて、前記ブロックを構成する画素の画素値のダイナミックレンジを算出する算出手段と、
前記画素値と前記最小値との差分データを算出する差分データ算出手段と、
前記ダイナミックレンジに応じて前記差分データを符号化する符号化手段と
を有する
ことを特徴とする請求項１に記載の符号化装置。
【請求項４】
前記第１の符号化手段は、
前記第１の画像を複数のブロックに分割するブロック分割手段と、
前記ブロックを構成する各画素の画素値の大きさに応じて前記各画素をソートするとともに、ソートしたときのソート結果を表すソート順情報、および前記ブロックを構成する画素の特徴量を表すパラメータを算出するソート順算出手段と、
前記ソート順情報と前記パラメータとに基づいて、ソートされる前の空間位相に配置された、前記ブロックを構成する各画素の予測画素値を生成する予測画素値生成手段と、
前記ブロックを構成する各画素の画素値と前記予測画素値との差分データを算出する差分データ算出手段と、
前記差分データを符号化する符号化手段と
を有する
ことを特徴とする請求項１に記載の符号化装置。
【請求項５】
前記予測画素値生成手段は、
前記パラメータに基づいて、画素値の大きさに応じてソートされている、前記ブロックを構成する各画素の予測画素値を生成する画素値生成手段と、
前記ソート順情報に基づいて、前記画素値生成手段により生成された前記予測画素値を、前記ブロックを構成する各画素がソートされる前の空間位相に逆ソートする逆ソート手段と
を有する
ことを特徴とする請求項４に記載の符号化装置。
【請求項６】
前記第２の符号化手段は、
前記第２の画像を複数のブロックに分割するブロック分割手段と、
前記第２の画像より所定時間前の画像で前記第２の画像との比較の対象となる参照画像から、前記ブロックの動きベクトルを検出する動きベクトル検出手段と、
前記ブロックを構成する各画素の画素値と、前記参照画像の前記動きベクトルが表すブロック内の、前記各画素に対応する画素の画素値との残差を算出する残差算出手段と、
前記ブロックを構成する各画素の残差の最小値およびダイナミックレンジを算出する最小値算出手段と、
前記ブロックを構成する各画素の残差と前記残差の最小値との差分データを算出する差分データ算出手段と、
前記ダイナミックレンジに応じて前記差分データを符号化する符号化手段と
を有する
ことを特徴とする請求項１に記載の符号化装置。
【請求項７】
前記最小値算出手段は、前記残差の回帰式を算出し、前記回帰式の係数として得られる前記ブロックを構成する各画素の残差の最小値およびダイナミックレンジを算出する
ことを特徴とする請求項６に記載の符号化装置。
【請求項８】
前記第２の符号化手段は、
前記第２の画像を複数のブロックに分割するブロック分割手段と、
前記第２の画像より所定時間前の画像で前記第２の画像との比較の対象となる参照画像から、前記ブロックの動きベクトルを検出する動きベクトル検出手段と、
前記ブロックを構成する各画素の画素値と、前記参照画像の前記動きベクトルが表すブロック内の、前記各画素に対応する画素の画素値との残差を算出する残差算出手段と、
前記残差を第１の符号化方式で符号化する第１の残差符号化手段と、
前記残差を第２の符号化方式で符号化する第２の残差符号化手段と、
前記第１または第２の方式のどちらを採用するかを判定する判定手段と、
前記判定手段の判定結果に応じて、前記第１または第２の残差符号化手段の出力を選択する選択手段と
を有する
ことを特徴とする請求項１に記載の符号化装置。
【請求項９】
第１の画像と第２の画像を少なくとも有する入力画像データを符号化する符号化装置の符号化方法において、
前記第１の画像を符号化する第１の符号化ステップと、
前記第２の画像を符号化する第２の符号化ステップと
を含み、
前記第１の符号化ステップにおいて符号化された前記第1の画像を復号した第３の画像の画質は、前記第１の画像の画質より劣化し、
前記第２の符号化ステップにおいて符号化された前記第２の画像を復号した第４の画像の画質は、前記第２の画像の画質と同程度に維持される
ことを特徴とする符号化方法。
【請求項１０】
第１の画像と第２の画像を少なくとも有する入力画像データを符号化する処理を、コンピュータに実行させるプログラムが記録されている記録媒体において、
前記第１の画像を符号化する第１の符号化ステップと、
前記第２の画像を符号化する第２の符号化ステップと
を含み、
前記第１の符号化ステップにおいて符号化された前記第1の画像を復号した第３の画像の画質は、前記第１の画像の画質より劣化し、
前記第２の符号化ステップにおいて符号化された前記第２の画像を復号した第４の画像の画質は、前記第２の画像の画質と同程度に維持される
ことを特徴とするプログラムが記録されている記録媒体。
【請求項１１】
第第１の画像と第２の画像を少なくとも有する入力画像データを符号化する処理を、コンピュータに実行させるプログラムにおいて、
前記第１の画像を符号化する第１の符号化ステップと、
前記第２の画像を符号化する第２の符号化ステップと
を含み、
前記第１の符号化ステップにおいて符号化された前記第１の画像を復号した第３の画像の画質は、前記第１の画像の画質より劣化し、
前記第２の符号化ステップにおいて符号化された前記第２の画像を復号した第４の画像の画質は、前記第２の画像の画質と同程度に維持される
ことを特徴とするプログラム。
【請求項１２】
第１の画像が符号化された第１の符号化データと、第２の画像が符号化された第２の符号化データとを取得する取得手段と、
前記第１の符号化データを復号する第１の復号手段と、
前記第２の符号化データを復号する第２の復号手段と
を備え、
前記第１の復号手段において復号された第３の画像の画質は、前記第１の画像の画質より劣化し、
前記第２の復号手段において復号された第４の画像の画質は、前記第２の画像の画質と同程度に維持される
ことを特徴とする復号装置。
【請求項１３】
前記第１または第２の復号手段の出力にノイズを付加するノイズ付加手段をさらに備える
ことを特徴とする請求項１２に記載の復号装置。
【請求項１４】
前記第１の復号手段は、
前記第１の画像が分割された複数のブロックのうちの１のブロックについての、前記１のブロックを構成する画素の画素値の最小値およびダイナミックレンジと、
前記画素値と前記最小値との差分データが符号化された符号化差分データとを取得する取得手段と、
前記ダイナミックレンジに応じて前記符号化差分データを前記差分データに復号する差分データ復号手段と、
前記差分データ復号手段により復号された前記差分データと前記最小値とを加算する加算手段と
を有する
ことを特徴とする請求項１２に記載の復号装置。
【請求項１５】
前記第１の復号手段は、
前記第１の画像が分割された複数のブロックのうちの１のブロックについての、前記１のブロックを構成する各画素の画素値の大きさに応じて前記各画素をソートしたときのソート結果を表すソート順情報、
前記１のブロックを構成する画素の特徴量を表すパラメータ、
および、前記パラメータを用いて生成される前記１のブロックを構成する各画素の予測画素値と前記画素値との差分データが符号化された符号化差分データを取得する取得手段と、
前記ソート順情報と前記パラメータとに基づいて、ソートされる前の空間位相に配置された、前記１のブロックを構成する各画素の予測画素値を生成する予測画素値生成手段と、
前記符号化差分データを前記差分データに復号する差分データ復号手段と、
前記差分データ復号手段により復号された前記差分データと前記予測画素値とを加算する加算手段と
を有する
ことを特徴とする請求項１２に記載の復号装置。
【請求項１６】
前記予測画素値生成手段は、
前記パラメータに基づいて、画素値の大きさに応じてソートされている、前記ブロックを構成する各画素の予測画素値を生成する予測値生成手段と、
前記ソート順情報に基づいて、前記予測値生成手段により生成された前記予測画素値を、ソートされる前の空間位相に逆ソートする逆ソート手段と
を有する
ことを特徴とする請求項１５に記載の復号装置。
【請求項１７】
前記第２の復号手段は、
前記第２の画像より所定時間前の画像で前記第２の画像との比較の対象となる参照画像から検出された動きベクトル、
前記第２の画像が分割された複数のブロックのうちの１のブロックについての、前記１のブロックを構成する各画素の画素値と、前記参照画像の前記動きベクトルが表すブロック内の、前記各画素に対応する画素の画素値との残差、
前記残差の最小値、
および、前記残差と前記残差の最小値との差分データが符号化された符号化差分データを取得する取得手段と、
前記符号化差分データを前記差分データに復号する差分データ復号手段と、
前記差分データ復号手段により復号された前記差分データと前記残差の最小値とを加算する残差加算手段と、
前記残差加算手段の出力と、前記参照画像の前記動きベクトルが表すブロック内の、前記各画素に対応する画素の画素値とを加算する画素値加算手段と
を有する
ことを特徴とする請求項１２に記載の復号装置。
【請求項１８】
前記第２の復号手段は、
前記第２の画像より所定時間前の画像で前記第２の画像との比較の対象となる参照画像から検出された動きベクトル、
前記第２の画像が分割された複数のブロックのうちの１のブロックについての、前記１のブロックを構成する各画素の画素値と、前記参照画像の前記動きベクトルが表すブロック内の、前記各画素に対応する画素の画素値との残差が符号化された符号化残差データ、
および、前記符号化残差データが第１の符号化方式か、または第２の符号化方式のどちらで符号化されたかを表す符号化方式判定結果を取得する取得手段と、
前記符号化方式判定結果が前記第１の符号化方式を表す場合に、前記符号化残差データを前記残差データに復号する第１の残差データ復号手段と、
前記符号化方式判定結果が前記第２の符号化方式を表す場合に、前記符号化残差データを前記残差データに復号する第２の残差データ復号手段と、
前記第１または第２の残差データ復号手段により復号された前記残差データと、前記参照画像の前記動きベクトルが表すブロック内の、前記各画素に対応する画素の画素値とを加算する画素値加算手段と
を有する
ことを特徴とする請求項１２に記載の復号装置。
【請求項１９】
第１の画像が符号化された第１の符号化データと、第２の画像が符号化された第２の符号化データとを取得する取得ステップと、
前記第１の符号化データを復号する第１の復号ステップと、
前記第２の符号化データを復号する第２の復号ステップと
を含み、
前記第１の復号ステップにおいて復号された第３の画像の画質は、前記第１の画像の画質より劣化し、
前記第２の復号ステップにおいて復号された第４の画像の画質は、前記第２の画像の画質と同程度に維持される
ことを特徴とする復号方法。
【請求項２０】
第１の画像が符号化された第１の符号化データと、第２の画像が符号化された第２の符号化データとを取得する取得ステップと、
前記第１の符号化データを復号する第１の復号ステップと、
前記第２の符号化データを復号する第２の復号ステップと
を含み、
前記第１の復号ステップにおいて復号された第３の画像の画質は、前記第１の画像の画質より劣化し、
前記第２の復号ステップにおいて復号された第４の画像の画質は、前記第２の画像の画質と同程度に維持される
処理を、コンピュータに実行させることを特徴とするプログラムが記録されている記録媒体。
【請求項２１】
第１の画像が符号化された第１の符号化データと、第２の画像が符号化された第２の符号化データとを取得する取得ステップと、
前記第１の符号化データを復号する第１の復号ステップと、
前記第２の符号化データを復号する第２の復号ステップと
を含み、
前記第１の復号ステップにおいて復号された第３の画像の画質は、前記第１の画像の画質より劣化し、
前記第２の復号ステップにおいて復号された第４の画像の画質は、前記第２の画像の画質と同程度に維持される
処理を、コンピュータに実行させることを特徴とするプログラム。
【請求項２２】
第１の画像と第２の画像を少なくとも有する入力画像データを符号化する符号化部および符号化された前記入力画像データを復号する復号部を備え、前記入力画像データに対して符号化および復号を繰り返すと前記入力画像データに対応する画像の画質が劣化する画像処理システムにおいて、
前記符号化部は、
前記第１の画像を符号化する第１の符号化手段と、
前記第２の画像を符号化する第２の符号化手段と
を備え、
前記第１の符号化手段において符号化された前記第１の画像を復号した第３の画像の画質は、前記第１の画像の画質より劣化し、
前記第２の符号化手段において符号化された前記第２の画像を復号した第４の画像の画質は、前記第２の画像の画質と同程度に維持される
ことを特徴とする画像処理システム。
【請求項２３】
第１の画像と第２の画像を少なくとも有する入力画像データを符号化する符号化部および符号化された前記入力画像データを復号する復号部を備え、前記入力画像データに対して符号化および復号を繰り返すと前記入力画像データに対応する画像の画質が劣化する画像処理システムにおいて、
前記復号部は、
第１の画像が符号化された第１の符号化データと、第２の画像が符号化された第２の符号化データとを取得する取得手段と、
前記第１の符号化データを復号する第１の復号手段と、
前記第２の符号化データを復号する第２の復号手段と
を備え、
前記第１の復号手段において復号された第３の画像の画質は、前記第１の画像の画質より劣化し、
前記第２の復号手段において復号された第４の画像の画質は、前記第２の画像の画質と同程度に維持される
ことを特徴とする画像処理システム。
【手続補正２】
【補正対象書類名】明細書
【補正対象項目名】発明の名称
【補正方法】変更
【補正の内容】
【発明の名称】符号化装置および方法、復号装置および方法、画像処理システム、記録媒体、並びにプログラム
【手続補正３】
【補正対象書類名】明細書
【補正対象項目名】０００１
【補正方法】変更
【補正の内容】
【０００１】
本発明は、符号化装置および方法、復号装置および方法、画像処理システム、記録媒体、並びにプログラムに関し、特に、アナログ信号を利用した不正コピーを防止する符号化装置および方法、復号装置および方法、画像処理システム、記録媒体、並びにプログラムに関する。
【手続補正４】
【補正対象書類名】明細書
【補正対象項目名】００３０
【補正方法】削除
【補正の内容】
【手続補正５】
【補正対象書類名】明細書
【補正対象項目名】００３１
【補正方法】削除
【補正の内容】
【手続補正６】
【補正対象書類名】明細書
【補正対象項目名】００３２
【補正方法】削除
【補正の内容】
【手続補正７】
【補正対象書類名】明細書
【補正対象項目名】００３３
【補正方法】削除
【補正の内容】
【手続補正８】
【補正対象書類名】明細書
【補正対象項目名】００３４
【補正方法】削除
【補正の内容】
【手続補正９】
【補正対象書類名】明細書
【補正対象項目名】００３５
【補正方法】削除
【補正の内容】
【手続補正１０】
【補正対象書類名】明細書
【補正対象項目名】００３６
【補正方法】削除
【補正の内容】
【手続補正１１】
【補正対象書類名】明細書
【補正対象項目名】００４８
【補正方法】削除
【補正の内容】
【手続補正１２】
【補正対象書類名】明細書
【補正対象項目名】００４９
【補正方法】削除
【補正の内容】
【手続補正１３】
【補正対象書類名】明細書
【補正対象項目名】００５０
【補正方法】削除
【補正の内容】
【手続補正１４】
【補正対象書類名】明細書
【補正対象項目名】００５１
【補正方法】削除
【補正の内容】
【手続補正１５】
【補正対象書類名】明細書
【補正対象項目名】００５２
【補正方法】削除
【補正の内容】
【手続補正１６】
【補正対象書類名】明細書
【補正対象項目名】００５３
【補正方法】削除
【補正の内容】
【手続補正１７】
【補正対象書類名】明細書
【補正対象項目名】００５７
【補正方法】変更
【補正の内容】
【００５７】
本発明の第１の画像処理システムの符号化部は、第１の画像を符号化する第１の符号化手段と、第２の画像を符号化する第２の符号化手段とを備え、第１の符号化手段において符号化された第１の画像を復号した第３の画像の画質は、第１の画像の画質より劣化し、第２の符号化手段において符号化された第２の画像を復号した第４の画像の画質は、第２の画像の画質と同程度に維持されることを特徴とする。
【手続補正１８】
【補正対象書類名】明細書
【補正対象項目名】００５８
【補正方法】削除
【補正の内容】
【手続補正１９】
【補正対象書類名】明細書
【補正対象項目名】００５９
【補正方法】削除
【補正の内容】
【手続補正２０】
【補正対象書類名】明細書
【補正対象項目名】００６０
【補正方法】変更
【補正の内容】
【００６０】
本発明の第１の画像処理システムにおいては、第１の画像および第２の画像が符号化される。この場合、符号化された第1の画像を復号した第３の画像の画質は、第１の画像の画質より劣化し、符号化された第２の画像を復号した第４の画像の画質は、第２の画像の画質と同程度に維持される。
【手続補正２１】
【補正対象書類名】明細書
【補正対象項目名】００６１
【補正方法】変更
【補正の内容】
【００６１】
本発明の第２の画像処理システムの復号部は、第１の画像が符号化された第１の符号化データと、第２の画像が符号化された第２の符号化データとを取得する取得手段と、第１の符号化データを復号する第１の復号手段と、第２の符号化データを復号する第２の復号手段とを備え、第１の復号手段において復号された第３の画像の画質は、第１の画像の画質より劣化し、第２の復号手段において復号された第４の画像の画質は、第２の画像の画質と同程度に維持されることを特徴とする。
【手続補正２２】
【補正対象書類名】明細書
【補正対象項目名】００６２
【補正方法】削除
【補正の内容】
【手続補正２３】
【補正対象書類名】明細書
【補正対象項目名】００６３
【補正方法】削除
【補正の内容】
【手続補正２４】
【補正対象書類名】明細書
【補正対象項目名】００６４
【補正方法】変更
【補正の内容】
【００６４】
本発明の第２の画像処理システムにおいては、第１の画像が符号化された第１の符号化データと、第２の画像が符号化された第２の符号化データとが取得され、第１の符号化データおよび第２の符号化データが復号されて、それぞれ、第３の画像および第４の画像とされる。第３の画像の画質は、第１の画像の画質より劣化し、第４の画像の画質は、第２の画像の画質と同程度に維持される。
【手続補正２５】
【補正対象書類名】明細書
【補正対象項目名】００７６
【補正方法】変更
【補正の内容】
【００７６】
請求項１０に記載の記録媒体のプログラム、請求項１１に記載のプログラムの各ステップの具体例も、請求項９に記載の符号化方法の各ステップの発明の実施の形態における具体例と同様である。
【手続補正２６】
【補正対象書類名】明細書
【補正対象項目名】００７７
【補正方法】変更
【補正の内容】
【００７７】
請求項１２に記載の復号装置（例えば、図２の再生部１４２）は、
第１の画像が符号化された第１の符号化データと、第２の画像が符号化された第２の符号化データとを取得する取得手段（例えば、図１７の復号化選択回路２７２）と、
前記第１の符号化データ（基準フレームの符号化デジタル画像信号Vcd1）を復号する第１の復号手段（例えば、図１７の基準フレーム復号化部２７３）と、
前記第２の符号化データ（予測フレームの符号化デジタル画像信号Vcd1）を復号する第２の復号手段（例えば、図１７の予測フレーム復号化部２７４）と
を備え、
前記第１の復号手段において復号された第３の画像の画質は、前記第１の画像の画質より劣化し、
前記第２の復号手段において復号された第４の画像の画質は、前記第２の画像の画質と同程度に維持される
を備えることを特徴とする。
【手続補正２７】
【補正対象書類名】明細書
【補正対象項目名】００７８
【補正方法】変更
【補正の内容】
【００７８】
請求項１３に記載の復号装置は、
前記第１または第２の復号手段の出力にノイズを付加するノイズ付加手段（例えば、図２のD/A変換部１５６または図５２のノイズ付加部５０３）をさらに備える
ことを特徴とする。
【手続補正２８】
【補正対象書類名】明細書
【補正対象項目名】００７９
【補正方法】変更
【補正の内容】
【００７９】
請求項１４に記載の復号装置は、
前記第１の復号手段は、
前記第１の画像が分割された複数のブロックのうちの１のブロックについての、前記１のブロックを構成する画素の画素値の最小値およびダイナミックレンジと、
前記画素値と前記最小値との差分データが符号化された符号化差分データとを取得する取得手段（例えば、図１８のデータ分解回路２９２）と、
前記ダイナミックレンジに応じて前記符号化差分データを前記差分データに復号する差分データ復号手段（例えば、図１８のブロック復号化回路２９３）と、
前記差分データ復号手段により復号された前記差分データと前記最小値とを加算する加算手段（例えば、図１８の加算器２９４）と
を有する
ことを特徴とする。
【手続補正２９】
【補正対象書類名】明細書
【補正対象項目名】００８０
【補正方法】変更
【補正の内容】
【００８０】
請求項１５に記載の復号装置は、
前記第１の復号手段は、
前記第１の画像が分割された複数のブロックのうちの１のブロックについての、前記１のブロックを構成する各画素の画素値の大きさに応じて前記各画素をソートしたときのソート結果を表すソート順情報、
前記１のブロックを構成する画素の特徴量を表すパラメータ、
および、前記パラメータを用いて生成される前記１のブロックを構成する各画素の予測画素値と前記画素値との差分データが符号化された符号化差分データを取得する取得手段（例えば、図３５のデータ分解回路４０２）と、
前記ソート順情報と前記パラメータとに基づいて、ソートされる前の空間位相に配置された、前記１のブロックを構成する各画素の予測画素値を生成する予測画素値生成手段（例えば、図３５の予測画素値生成回路４０３）と、
前記符号化差分データを前記差分データに復号する差分データ復号手段（例えば、図３５のブロック復号化回路４０４）と、
前記差分データ復号手段により復号された前記差分データと前記予測画素値とを加算する加算手段（例えば、図３５の加算器４０５）と
を有する
ことを特徴とする。
【手続補正３０】
【補正対象書類名】明細書
【補正対象項目名】００８１
【補正方法】変更
【補正の内容】
【００８１】
請求項１６に記載の復号装置は、
前記予測画素値生成手段は、
前記パラメータに基づいて、画素値の大きさに応じてソートされている、前記ブロックを構成する各画素の予測画素値を生成する予測値生成手段（例えば、図３５の予測回路４１１）と、
前記ソート順情報に基づいて、前記予測値生成手段により生成された前記予測画素値を、ソートされる前の空間位相に逆ソートする逆ソート手段（例えば、図３５の逆ソート回路４１２）と
を有する
ことを特徴とする。
【手続補正３１】
【補正対象書類名】明細書
【補正対象項目名】００８２
【補正方法】変更
【補正の内容】
【００８２】
請求項１７に記載の復号装置は、
前記第２の復号手段は、
前記第２の画像より所定時間前の画像で前記第２の画像との比較の対象となる参照画像から検出された動きベクトル、
前記第２の画像が分割された複数のブロックのうちの１のブロックについての、前記１のブロックを構成する各画素の画素値と、前記参照画像の前記動きベクトルが表すブロック内の、前記各画素に対応する画素の画素値との残差、
前記残差の最小値、
および、前記残差と前記残差の最小値との差分データが符号化された符号化差分データを取得する取得手段（例えば、図２０のデータ分解回路３０２）と、
前記符号化差分データを前記差分データに復号する差分データ復号手段（例えば、図２０のブロック復号化回路３０４）と、
前記差分データ復号手段により復号された前記差分データと前記残差の最小値とを加算する残差加算手段（例えば、図２０の加算器３０５）と、
前記残差加算手段の出力と、前記参照画像の前記動きベクトルが表すブロック内の、前記各画素に対応する画素の画素値とを加算する画素値加算手段（例えば、図２０の加算器３０６）と
を有する
ことを特徴とする。
【手続補正３２】
【補正対象書類名】明細書
【補正対象項目名】００８３
【補正方法】変更
【補正の内容】
【００８３】
請求項１８に記載の復号装置は、
前記第２の復号手段は、
前記第２の画像より所定時間前の画像で前記第２の画像との比較の対象となる参照画像から検出された動きベクトル、
前記第２の画像が分割された複数のブロックのうちの１のブロックについての、前記１のブロックを構成する各画素の画素値と、前記参照画像の前記動きベクトルが表すブロック内の、前記各画素に対応する画素の画素値との残差が符号化された符号化残差データ、
および、前記符号化残差データが第１の符号化方式か、または第２の符号化方式のどちらで符号化されたかを表す符号化方式判定結果を取得する取得手段（例えば、図３７のデータ分解回路４３２）と、
前記符号化方式判定結果が前記第１の符号化方式を表す場合に、前記符号化残差データを前記残差データに復号する第１の残差データ復号手段（例えば、図３７のADRC復号化部４３５）と、
前記符号化方式判定結果が前記第２の符号化方式を表す場合に、前記符号化残差データを前記残差データに復号する第２の残差データ復号手段（例えば、図３７の直交変換復号化部４３６）と、
前記第１または第２の残差データ復号手段により復号された前記残差データと、前記参照画像の前記動きベクトルが表すブロック内の、前記各画素に対応する画素の画素値とを加算する画素値加算手段（例えば、図３７の加算器３０６）と
を有する
ことを特徴とする。
【手続補正３３】
【補正対象書類名】明細書
【補正対象項目名】００８４
【補正方法】変更
【補正の内容】
【００８４】
請求項１９に記載の復号方法は、
第１の画像が符号化された第１の符号化データと、第２の画像が符号化された第２の符号化データとを取得する取得ステップ（例えば、図４１のステップＳ１７９の処理）と、
前記第１の符号化データを復号する第１の復号ステップ（例えば、図４１のステップＳ１８１の処理）と、
前記第２の符号化データを復号する第２の復号ステップ（例えば、図４１のステップＳ１８３の処理）と
を含み、
前記第１の復号ステップにおいて復号された第３の画像の画質は、前記第１の画像の画質より劣化し、
前記第２の復号ステップにおいて復号された第４の画像の画質は、前記第２の画像の画質と同程度に維持される
を含むことを特徴とする。
【手続補正３４】
【補正対象書類名】明細書
【補正対象項目名】００８５
【補正方法】変更
【補正の内容】
【００８５】
請求項２０に記載の記録媒体のプログラム、請求項２１に記載のプログラムの各ステップの具体例も、請求項１９に記載の復号方法の各ステップの発明の実施の形態における具体例と同様である。